(57)【要約】【課題】  開口部の開口状態及び閉口状態を保持可能であり、且つ、閉口時には所謂ワンタッチで閉口可能である極めて優れた作業性を有し、廃棄時の環境負荷の少ない袋を提供する。【解決手段】  帯状又は紐状の塑性変形性を有する形状保持体２（好ましくは延伸オレフィン系樹脂帯状体からなる）が開口部３の周方向に配設されるとともに、該形状保持体２に沿って開口部３をスライドさせつつ形状保持体２を引っ張ることで開口部３を閉口可能である。【選択図】  図１
2005104566.tif 000002
【特許請求の範囲】
【請求項１】
帯状又は紐状の塑性変形性を有する形状保持体が開口部の周方向に配設されるとともに、該形状保持体に沿って開口部がスライド可能とされ、開口部をスライドさせつつ形状保持体を引っ張ることで開口部が閉口可能であることを特徴とする袋。
【請求項２】
開口部の周方向に筒状の部分が設けられ、該筒の中に形状保持体が配設されたことを特徴とする請求項１記載の袋。
【請求項３】
開口部の周方向に複数のリング状部が設けられ、該リング状部の中に形状保持体が配設されたことを特徴とする請求項１記載の袋。
【請求項４】
形状保持体の一部が袋に固定されていることを特徴とする請求項１〜３の何れか１項記載の袋。
【請求項５】
形状保持体が、延伸オレフィン系樹脂帯状体からなることを特徴とする請求項１〜４の何れか１項記載の袋。
【発明の詳細な説明】
【技術分野】
【０００１】
本発明は、果実袋などに好適に用いられる袋に関し、詳しくは、開口部の開口状態及び閉口状態を容易に保持可能な袋に関する。
【背景技術】
【０００２】
従来、紙、布、フィルムなどの柔軟な材料からなる袋は、通常、内容物を入れる際には開口部を開口状態に保持し、内容物を入れた後には閉口状態に保持して使用される。
【０００３】
例えば、栽培中の果実を保護するために用いられる果実袋の場合には、開口部から袋内に果実を収容した後、果軸又は枝上で袋の開口端部を集束して閉口状態に保持される。
【０００４】
上記において、簡単に閉口可能な手段を備えた袋としては、例えば巾着袋が挙げられる。巾着袋は開口部の紐を引くことで容易に閉口可能である。しかし、閉口状態を保持するには紐を縛ったり、針金などの留め具が必要となる。また、巾着袋は通常開口状態を保持する機能は無く、用途によっては内容物を入れにくいという問題がある。
【０００５】
上記果実袋においては、例えば特許文献１に、開口部近傍に屈曲可能で形状保持機能を有する封口部材を着設した果実袋であって、封口部材が、紐状体に水溶性高分子及び／又は熱可塑性樹脂を被覆してなるものが提案され、開口部側面の接着剤貼式の上部に形状保持機能を有する封口部材を着設したものが開示されている。
【０００６】
しかし、上記において開示された果実袋においては、巾着袋と同様に開口状態を保持することが難しく、果実を収容する場合には、両手で開口部を開口状態に保ちつつ収容する必要があるなど、収容時の作業性に問題があり、特に風が強い日には、上記問題は顕著であった。
【０００７】
一方、開口状態及び閉口状態を保持可能としたものとしては、一般に開口部の全周又は一部に沿って金属帯を着設したものが用いられている。更に、上記金属帯に代えて塑性変形性を有する熱可塑性材料を用いたものも提案されている（特許文献２参照）。
【０００８】
しかし、これらの袋においては、開口部を閉口する際に弛みが生じやすいという問題や開口部が集束し難いという問題があり、完全に閉口状態にするのが困難であるとともに、閉口時には、例えば両手で開口部を徐々に集束させる必要があり作業性が悪いという問題があった。
【０００９】
【特許文献１】特開２０００−１８８９７５号公報
【特許文献２】特開平１０−３０５８４９号公報
【発明の開示】
【発明が解決しようとする課題】
【００１０】
本発明の目的は、上記従来の問題点に鑑み、開口部の開口状態及び閉口状態を保持可能であり、且つ、閉口時には所謂ワンタッチで閉口可能である極めて優れた作業性を有する袋を提供することにあり、また、廃棄時の環境負荷の少ない袋を提供することにある。
【課題を解決するための手段】
【００１１】
請求項１記載の袋は、帯状又は紐状の塑性変形性を有する形状保持体が開口部の周方向に配設されるとともに、該形状保持体に沿って開口部がスライド可能とされ、開口部をスライドさせつつ形状保持体を引っ張ることで開口部が閉口可能であることを特徴とする。
【００１２】
請求項２記載の袋は、請求項１記載の袋であって、開口部の周方向に筒状の部分が設けられ、該筒の中に形状保持体が配設されたことを特徴とする。
【００１３】
請求項３記載の袋は、請求項１記載の袋であって、開口部の周方向に複数のリング状部が設けられ、該リング状部の中に形状保持体が配設されたことを特徴とする。
【００１４】
請求項４記載の袋は、請求項１〜３の何れか１項記載の袋であって、形状保持体の一部が袋に固定されていることを特徴とする。
【００１５】
請求項５記載の袋は、請求項１〜４の何れか１項記載の袋であって、形状保持体が、延伸オレフィン系樹脂帯状体からなることを特徴とする。
【００１６】
以下、本発明を詳細に説明する。
本発明の袋本体に用いられる素材としては、袋状に加工可能な柔軟な材料であれは特に限定されず、例えば天然繊維や合成繊維による織布若しくは不織布、紙、フィルムなどが挙げられる。
【００１７】
本発明における形状保持体としては、塑性変形性を有するものであれば特に限定されず、例えば、金属帯、針金、金属の表面に樹脂を被覆したもの、各種紐の表面に塑性変形性を有する樹脂材料を被覆したもの、樹脂材料自体が塑性変形性を有するものなどが挙げられる。
【００１８】
本発明の袋において、上記形状保持体は開口部の周方向に配設されるとともに、該形状保持体に沿って開口部がスライド可能とされる。
【００１９】
形状保持体を開口部の周方向に配設する方法としては、例えば、開口部の周方向に筒状の部分が設けられ、該筒の中に形状保持体を挿通して配設されてもよく、また、開口部の周方向に複数のリング状部が設けられ、該リング状部の中に形状保持体を挿通して配設されてもよい。
【００２０】
上記のように形状保持体を配設すると、開口時に形状保持体を変形させることで開口状態が保持可能となる。また、開口部における筒状の部分若しくはリング状部は該形状保持体に沿ってスライドさせて移動することが可能となり、この部分をスライドさせつつ形状保持体を引っ張ることで開口部が集束され、所謂ワンタッチで開口部を閉口することができる。このため極めて優れた作業性を発揮することができるとともに、端部を結束しなくても閉口状態が保持可能となる。
【００２１】
上記形状保持体の一部が袋に固定されている場合は、形状保持体を引っ張った場合にスライドして抜けてしまうことを防止することができ作業性が向上する点で好ましい。
【００２２】
上記形状保持体の固定する場所としては特に限定されないが、形状保持体の片方の端部を袋に固定した場合は、もう一方の端部を引っ張るだけで極めて容易に閉口することが可能となる点でより好ましい。
【００２３】
また、上記形状保持体の片方の端部を固定する代わりに、片方の端部にリング状の端部を設けると、そのリングの中に形状保持体のもう一方の端部を通して引っ張るだけで、上記同様に極めて容易に閉口可能とすることもできる。
【００２４】
本発明において用いられる形状保持体が、延伸オレフィン系樹脂帯状体からなるものであると、袋を使用した後の廃棄処理などにおいて分別作業を必要としないことや焼却し易いことなど環境負荷が少なくなる点で好ましい。
【００２５】
尚、上記延伸オレフィン系樹脂帯状体とは、幅の狭いポリオレフィン系樹脂シートを延伸して帯状体としたもの、及び、幅の広いポリオレフィン系樹脂シートを延伸して得られたシートを帯状体に切断したものを含むものとする。
【００２６】
上記オレフィン系樹脂帯状体の延伸倍率は、１０〜４０倍であることが好ましく、より好ましくは１５〜３５倍である。延伸倍率が小さ過ぎると充分な形状保持性が発揮されないことがあり、延伸倍率が大きくなり過ぎると帯状体が延伸方向に割れやすくなることがある。
【００２７】
上記帯状体の形状保持性が発現される作用機構については必ずしも明らかではないが、オレフィン系樹脂からなる材料を極めて高度に延伸することによる高度な分子配向によって、延伸方向における分子間の相互作用が減少し、分子のズレが不可逆的になるものと考えられる。
【００２８】
上記延伸オレフィン系樹脂帯状体を構成するオレフィン系樹脂としては、任意のオレフィン系樹脂が使用でき、例えば、高密度ポリエチレン樹脂、中密度ポリエチレン樹脂、低密度ポリエチレン樹脂、線状低密度ポリエチレン樹脂、ポリプロピレン樹脂、エチレン−プロピレン共重合体、エチレン−ペンテン−１共重合体、エチレン−酢酸ビニル共重合体、エチレン−（メタ）アクリル酸エステル共重合体、エチレン−塩化ビニル共重合体、エチレン−プロピレン−ブテン共重合体等が挙げられ、高密度ポリエチレン樹脂が好適に使用される。
【００２９】
本発明においては、上記高密度ポリエチレンを単独で用いてもよいが、他のポリオレフィンを高密度ポリエチレン１００重量部に対し３０重量部以下の割合で混入させてもよい。併用される他のポリオレフィンとしては、例えば、低密度ポリエチレン、エチレン−酢酸ビニル共重合体、ポリ酢酸ビニルなどを挙げることができる。
【００３０】
更に上記高密度ポリエチレンは架橋されたものが用いられてもよい。この場合得られる樹脂帯状体のゲル分率は２０％以上であることが好ましい。
【００３１】
上記帯状体を得るための延伸方法は従来公知の任意の方法が採用されてよいが、１０〜４０倍と高度に延伸するのであるから、例えばオレフィン系樹脂シートを圧延した後、延伸又は延伸を複数回繰り返す多段延伸する方法が好ましい。
【００３２】
上記圧延は、オレフィン系樹脂シートを一対の反対方向に回転するロールに供給し、押圧してシートの厚みを薄くすると共に伸長する方法であり、圧延されたシートは延伸シートとは異なり、オレフィン系樹脂が配向されることなく緻密になっているので、高度に延伸しやすくなっている。
【００３３】
圧延温度は、低くなると均一に圧延できず、高くなると溶融切断するので、圧延する際のロール温度は、圧延するオレフィン系樹脂シートのオレフィン系樹脂の「融点−４０℃」〜融点の範囲が好ましく、より好ましくは、オレフィン系樹脂の「融点−３０℃」〜「融点−５℃」である。
【００３４】
尚、本発明において、融点とは示差走査型熱量測定機（ＤＳＣ）で熱分析を行った際に認められる、結晶の融解に伴う吸熱ピークの最大点をいう。
【００３５】
又、圧延倍率は小さいと後の延伸に負担がかかり、大きくするのは圧延が困難になるので４〜１０倍が好ましい。尚、本発明において、圧延倍率及び延伸倍率は、圧延又は延伸前のシートの断面積を圧延又は延伸後のシートの断面積で除した値である。
【００３６】
上記延伸は、従来公知の任意の方法でよく、例えば、ロール延伸法、ゾーン延伸法により、ヒータや熱風により加熱しながら延伸する方法が挙げられる。
【００３７】
延伸温度は、低くなると均一に延伸できず、高くなるとシートが溶融切断するので、延伸するオレフィン系樹脂シートのオレフィン系樹脂の「融点−６０℃」〜融点の範囲が好ましく、より好ましくは、オレフィン系樹脂の「融点−５０℃」〜「融点−５℃」である。
【００３８】
又、圧延後の延伸倍率は、全体の延伸倍率が１０〜４０倍であるから、圧延倍率を考慮し、全体の延伸倍率がこの範囲にはいるように決定すればよいが、圧延後の延伸が少ないと機械的強度が向上しないので、２倍以上が好ましく、より好ましくは３倍以上である。尚、全体の延伸倍率は圧延倍率と圧延後の延伸倍率を乗じた数値である。
【００３９】
延伸オレフィン系樹脂帯状体は、薄くなると機械的強度が低下し、厚くなると延伸方向に割れやすくなるため、その厚みは一般に０．０５〜１．５ｍｍであり、好ましくは０．１５〜０．７ｍｍである。また、上記帯状体の幅としては、特に限定されないが、一般に０．５〜１０ｍｍである。
【発明の効果】
【００４０】
本発明によれば、帯状又は紐状の塑性変形性を有する形状保持体が開口部の周方向に配設されるとともに、該形状保持体に沿って開口部がスライド可能とされるので、開口部の開口状態及び閉口状態を保持可能となり、また、開口部をスライドさせつつ形状保持体を引っ張ることで、所謂ワンタッチで閉口可能となる。このため極めて作業性に優れた袋を提供することができ、特に果実を収容する果実袋に好適に用いることができる。
【００４１】
上記開口部の周方向に筒状の部分が設けられ、該筒の中に形状保持体が配設された場合、又は、開口部の周方向に複数のリング状部が設けられ、該リング状部の中に形状保持体が配設された場合には、開口部がスライドしやすくなり、上記効果は更に確実なものとなる。
【００４２】
また、形状保持体の一部が袋に固定されている場合には、形状保持体を引っ張った場合にスライドして抜けてしまうことを防止することができ、上記効果は更に確実なものとなる。
【００４３】
上記形状保持体が、延伸オレフィン系樹脂帯状体からなる場合には、上記効果に加えて、袋を使用した後の廃棄処理などにおける環境負荷を少なくすることができる。
【発明を実施するための最良の形態】
【００４４】
以下、本発明を実施するための最良の形態について、図面を参照しつつ説明する。
図１及び図２は本発明に係る袋の一例を示す模式斜視図であり、１は袋本体、２は帯状の形状保持体、３は開口部、３１は開口部の周方向に設けられた筒状の部分を示す。
【００４５】
形状保持体２としては、延伸ポリオレフィン系樹脂帯状体が用いられ、袋本体１の開口部３の周方向に沿って設けられた筒状の部分（以下、「筒状部」ともいう）３１に形状保持体２を通すことで、該形状保持体２に沿って開口部３の筒状部３１がスライド可能とされている。
【００４６】
図１では開口部３の開口状態が保持された状態を示しており、図２では形状保持体２を引っ張って筒状部３１を形状保持体２に沿ってスライドさせて集束し閉口した閉口状態を示している。このように、本発明の袋は、形状保持体２によって、容易に開口状態及び閉口状態を保持することができる。
【００４７】
図３は本発明に係る袋の他の一例を示す模式斜視図であり、開口部３の周方向に筒状部分を設ける代わりに、複数のリング状部３２を設けたものであり、この場合にも上記同様の効果を発揮することができる。
【００４８】
また、図４及び図５は本発明に係る袋の更に他の一例を示す模式斜視図であり、形状保持体２の片方の端部２１を、袋本体３の筒状部３１の一部である固定部５に熱融着して固定したものである。形状保持体２の片方の端部２１を袋本体１に固定することで、図４に示すような開口状態から、もう一方の端部２２を引っ張るだけで、極めて容易に図５に示すような閉口状態にすることができる。
【００４９】
また、図６は上記形状保持体２の片方の端部２１を固定する代わりに、片方の端部にリング状の端部（以下、「リング端部」ともいう）６を設けそのリング端部６の中に形状保持体２のもう一方の端部２２を通したものである。この場合にも、上記同様に形状保持体２のもう一方の端部２２を引っ張るだけで、極めて容易に閉口状態にすることができる。
【００５０】
従って本発明の袋を、例えば栽培中の果実を保護するための果実袋として用いる場合には、開口状態を保持しつつ袋内に果実を収容することができ、例えば、片方の手だけで収容することも可能である。また、果実を収容した後には、形状保持体の端部を引っ張ることで果軸又は枝上で開口部を集束して閉口状態に保持することができ、極めて良好な作業性を発揮することができる。
【図面の簡単な説明】
【００５１】
【図１】本発明に係る袋の一例を示す模式斜視図である。
【図２】図１の袋の閉口状態を例示する模式斜視図である。
【図３】本発明に係る袋の他の一例を示す模式斜視図である。
【図４】本発明に係る袋の更に他の一例を示す模式斜視図である。
【図５】図４の袋の閉口状態を例示する模式斜視図である。
【図６】本発明に係る袋の更に他の一例を示す模式斜視図である。
【符号の説明】
【００５２】
１  袋本体
２  形状保持体
２１、２２  端部
３  開口部
３１  筒状の部分（筒状部）
３２  リング状部
５  固定部
６  リング状の端部（リング端部）
【図１】
2005104566.tif 000003
【図２】
2005104566.tif 000004
【図３】
2005104566.tif 000005
【図４】
2005104566.tif 000006
【図５】
2005104566.tif 000007
【図６】
2005104566.tif 000008